(57)【特許請求の範囲】
【請求項１】
コンベアベルトの始端上方に鉛直方向に配された駆動軸の上端部に支持された回転円板と、その回転円板の放射方向外方を囲繞する外面カバーとによって構成される散らし装置を設け、前記外面カバーを筒状に丸めた合成樹脂製のネットからなるエレメントとそのエレメントの外面を棒材からなる保持枠によって構成し、前記保持枠は、前記棒材を平面視においてコンベアベルトの移動方向が短い長方形に組み立てるとともに、前記エレメントを前記保持枠によってコンベアベルトの移動方向に圧縮し略楕円形に変形させた状態で弾力的に保持してなるベルトコンベアの材料供給装置。
【発明の詳細な説明】
【０００１】
【産業上の利用分野】
この発明はベルトコンベアに関するもので、特に、煮干材料であるシラス魚をコンベアベルトへ供給するのに好適な材料供給装置に関する。
【０００２】
【従来の技術】
従来、煮干しを製造する過程において煮釜で茹でられたシラス魚を乾燥させるとともに、それに混合した夾雑物を排除するために比較的幅の広いコンベアベルトの上へ移動させている。そこではコンベアベルトの始端部上方に鉛直軸の周りで回転する回転円板と、その回転円板の外方を囲繞する外面カバーとが設けてあり、前記回転円板上へ落下させたシラス魚を、遠心力によって幅の広いコンベアベルトの上へ薄く、かつ広く、一様な厚さに散播することが行われている（特許第２８８３５５６号公報）。そこでは、前記外面カバーがステンレスによって作られた筒形の枠で作られ、その枠は略正方形に作られていた。
【０００３】
【発明が解決しようとする課題】
しかしながら、外面カバーが隅角部を持つ角形に作られている場合、回転円板から外方へ振り飛ばされた、外面カバーの隅角部内面へ飛ばされたシラス魚が外面カバーへ当たって落下するばかりでなく、その一部が隅角部へ付着してしまい落下し難くなるので、頻繁に掃除する必要があった。また、外面カバーがステンレスで作られていて重量が大きく、掃除のため着脱することが容易でなかった。さらに、回転円板の中心部は遠心力の働きが少ないため供給されたシラス魚が円錐形に堆積してしまう不具合があった。
【０００４】
【課題を解決するための手段】
上記した課題は、コンベアベルトの始端上方に鉛直方向に配された駆動軸の上端部に支持された回転円板と、その回転円板の放射方向外方を囲繞する外面カバーとによって構成される散らし装置を設け、前記外面カバーを筒状に丸めた合成樹脂製のネットからなるエレメントとそのエレメントの外面を棒材からなる保持枠によって構成し、前記保持枠は、前記棒材を平面視においてコンベアベルトの移動方向が短い長方形に組み立てるとともに、前記エレメントを前記保持枠によってコンベアベルトの移動方向に圧縮し略楕円形に変形させた状態で弾力的に保持することによって解決される。
【０００５】
【作用】
外面カバーのエレメントは合成樹脂製のネットを丸めて作られるもので、複雑な金属加工を要することなく製造される。直角な隅角部がなく曲率の小さい円弧状となり軽量に作られる。また、外面カバーは保持枠によって外面を圧縮した状態で保持される。回転円板の上へ供給されたシラス魚は回転円板に伴われて回転し、遠心力で回転円板から外方へ放出され、外面カバーに当接して下方のコンベアベルト上へ落下する。
【０００６】
【発明の実施の態様】
図１中、１０は本願発明の一実施態様を示すベルトコンベアの材料供給装置である。供給装置１０が取り付けられるベルトコンベア１１は床上に設置されたフレーム１２を有し、フレーム１２にはローラ１３に巻きつけられたコンベアベルト１４が設けられている。１５はコンベアベルト１４の始端部上方へ伸びる供給樋であり、煮干し材料であるシラス魚はこの供給樋１５によってベルトコンベア１１へ供給される。
【０００７】
図２中、２０は供給装置１０の要部をなす散らし装置であり、ベルトコンベア１１のフレーム１２によって始端部の上方に支持されている。散らし装置２０はフレーム１２の左右間に橋架された配電管２１に支持された駆動箱２２を有し、駆動箱２２には上面から鉛直方向上方へ向けて駆動軸２３が突出して設けられ、その上端には回転円板２４が取り付けられている。２５は回転円板２４の回転中心に取り付けられた円錐形のキャップであり、回転円板２４と共に一体的に回転する。なお、前記駆動箱２２内には回転円板２４を駆動するための電動機（図示してない）が収容されており、それには前記配電管２１を通して電線２１ａが接続されている。１６はコンベアベルト１４のためのガイド板である。
【０００８】
図３中、３０は回転円板２４の外方を囲繞して配置された外面カバーである。外面カバー３０は網目が１ｍｍ前後の合成樹脂製のネットを筒状に丸め、両端部を結合して筒状としたエレメント３１と、そのエレメント３１を保持するための保持枠３２を有する。エレメント３１は外力を加えない自然状態では円筒形をしており、その上縁は概ね軸線に対して直角に形成された上縁と、前記フレーム１２の傾斜角と同程度に傾斜した下縁とを有する。そして、その下縁には前記配電管２１と干渉する部分に逃げ溝３１ａとフレーム１２に設けたガイド板１６と干渉する部分に設けられた位置決め溝３１ｂとが設けられている。
【０００９】
前記保持枠３２はステンレスの針金を屈曲させ溶接組み立てしたもので、前記フレーム１２へ固定された脚部３２ａと、脚部３２ａの上端部に設けられた枠部３２ｂとを有する。枠部３２ｂは平面形状がコンベアベルト幅よりわずかに狭い長辺と、それに直角な短辺を持つ長方形をなし、その短辺の幅は前記丸められたエレメント３１の直径よりやや狭く、かつ、長辺の幅は前記直径よりやや広く作られている。
【００１０】
外面カバー３０は以上のように構成されているので、エレメント３１を長方形の枠部３２ｂの中へ取り付けるには、枠部３２ｂの長辺をなす部材間、すなわち、エレメント３１の直径より短い短辺の長さの狭い空間の中へエレメント３１を上から差し込むと、円筒形をしたエレメント３１の外面がその直径より狭い間隔で配された２個の長辺をなす部材に挟まれて圧縮され、残部が前記直径より間隔の広い間隔で配された短辺をなす部材に沿って外方へ向けて伸びる形で変形し、その弾力で抜けとめされる。よって、エレメント３１の平面形状は、図４で示すように大略楕円形となる。
【００１１】
上記実施態様に係る供給装置１０は供給樋１５から回転円板２４上にシラス魚ｆが落下すると、中心部に落ちたものは円錐形のキャップ２５に沿って周辺部へ移動し、周辺部に落ちたものは、そのまま回転円板２４に載って回転し、遠心力で外方へ移動し、その周縁から外方へ振り飛ばされる。回転円板２４から振り飛ばされたシラス魚ｆは外方へ配置された外面カバー３０のエレメント３１に当たり、下方のコンベアベルト１４上へ落下する。
【００１２】
外面カバー３０は平面視が四角形をした保持枠３２の中へ、合成樹脂製のネットを丸めて作ったエレメント３１を嵌め込んで作ってあるので、エレメント３１は保持枠３２の隅角部に対応する部分が大きな半径で曲がる曲面をなしており、回転円板２４から振り飛ばされたシラス魚ｆはこれに付着することなく、直ちに下方のコンベアベルト１４上へ落下する。
【００１３】
外面カバー３０をなすエレメント３１は、保持枠３２上へ差し込んで、その弾力によって保持されることで取り付けられているので、抜き差し操作だけで特殊な工具を用いることなく着脱できるため、着脱が容易である上、ネットで出来ているため清掃に際して外面から圧縮空気や加圧した水をかけることにより内面に付着したゴミやくず魚を容易に除去することができ清掃作業を容易に行うことができる。
【００１４】
【発明の効果】
請求項１の発明によれば、回転円板から振り飛ばされたシラス魚を受ける外面カバーのエレメントが保持枠の幅より大径に丸められた合成樹脂製のネットを用いるので、エレメントを保持枠へ取り付けるのに格別の工具を要せず、着脱作業が容易で清掃作業が容易に行い得る。
また、外面カバーとコンベアベルトとの間隙が一定になるので、回転円板から振り飛ばされたシラス魚が外面カバーの下面からコンベアベルトの外側へ飛散するのを防止でき、工場内を衛生的に保つことができる。
さらに、エレメントは保持枠の隅角部に対応する部分が大きな半径で曲がる局面をなしており、回転円板から振り飛ばされたシラス魚はこれに付着することなく直ちに下方のコンベアベルト上へ落下する。
などの効果がある。
【図面の簡単な説明】
【図１】  本願発明の一実施形態である供給装置１０の縦断側面図である。
【図２】  図１で示す装置の要部を拡大し外面カバーを取り外した状態を示す外観図である。
【図３】  図１で示す装置の要部を拡大して示す外観図である。
【図４】  図1で示す装置の要部を拡大して示す拡大側面図である。
【図５】  図４の平面図である。
【符号の説明】
１０・・・・供給装置
１１・・・・ベルトコンベア
１２・・・・フレーム
１３・・・・ローラ
１４・・・・コンベアベルト
１５・・・・供給樋
１６・・・・ガイド板
２０・・・・散らし装置
２１・・・・配電管
２１ａ・・・電線
２２・・・・駆動箱
２３・・・・駆動軸
２４・・・・回転円板
２５・・・・キャップ
３０・・・・外面カバー
３１・・・・エレメント
３１ａ・・・逃げ溝
３１ｂ・・・位置決め溝
３２・・・・保持枠
３２ａ・・・脚部
３２ｂ・・・枠部
ｆ・・・・・シラス魚
【図１】
0004346825.tif 000002
【図２】
0004346825.tif 000003
【図３】
0004346825.tif 000004
【図４】
0004346825.tif 000005
【図５】
0004346825.tif 000006